(57)【要約】【課題】汚物を収容した汚物回収袋が既に汚物保管袋の内部に収容されている状態において、利用者が汚物保管袋の入口を開いた場合に利用者が嗅いでしまう臭気を低減する。【解決手段】汚物回収袋１は、上部開口部１ａを有し、上部開口部１ａ側から汚物を受け入れる。汚物回収袋１は、防水層１２を有するシートで構成された袋本体１１を備える。前記シートは、前記シートの少なくとも一部の領域において形成された吸着層１３であって多孔性物質を含む吸着層１３を有する。吸着層１３は、前記少なくとも一部の領域において汚物回収袋１の外部の空間に連通するように形成される。【選択図】図３
2014200596.tif 000002
【特許請求の範囲】
【請求項１】
上部開口部を有し、前記上部開口部側から汚物を受け入れる汚物回収袋であって、
防水層を有するシートで構成された袋本体を備え、
前記シートは、前記シートの少なくとも一部の領域において形成された吸着層であって多孔性物質を含む吸着層を有し、
前記吸着層は、前記少なくとも一部の領域において前記汚物回収袋の外部の空間に連通するように形成された、
ことを特徴とする汚物回収袋。
【請求項２】
前記シートにおける前記汚物回収袋の上部開口部側の部分に相当する領域には、前記吸着層が形成されず、
前記シートにおける残りの領域には、前記吸着層が形成された、
ことを特徴とする請求項１記載の汚物回収袋。
【請求項３】
汚物が収容された汚物回収袋を入れるための開閉可能な入口を有し、汚物が収容された前記汚物回収袋を内部に収容する汚物保管袋であって、
防水層を有するシートで構成された袋本体を備え、
前記シートは、前記シートの少なくとも一部の領域において形成された吸着層であって多孔性物質を含む吸着層を有し、
前記吸着層は、前記少なくとも一部の領域において前記汚物保管袋の内部の空間に連通するように形成された、
ことを特徴とする汚物保管袋。
【請求項４】
前記袋本体内の圧力が所定圧力以上となったときに、前記袋本体内の空間を外部に連通させる安全弁部を、備えたことを特徴とする請求項３記載の汚物回収袋。
【請求項５】
請求項１又は２記載の汚物回収袋と、請求項３又は４記載の汚物保管袋と、を備えたことを特徴とする汚物回収・保管セット。
【発明の詳細な説明】
【技術分野】
【０００１】
本発明は、災害、介護、野外活動、車両渋滞時などの際に、排尿、排便などの汚物を回収する汚物回収袋、汚物を収容した前記汚物回収袋を一時的に保管するために用いられる汚物保管袋、並びに、前記汚物回収袋及び前記汚物保管袋を備えた汚物回収・保管セットに関するものである。
【背景技術】
【０００２】
従来から、前述したような汚物回収袋として、例えば、下記特許文献１に開示された汚物処理袋が知られている。この汚物処理袋は、上部開口部を有するポリエチレン製の袋体と、該袋体の内部に接合された吸水性シートとからなるものである。
【０００３】
このような汚物回収袋を用いる場合、例えば、前記袋体の上部開口部を広げて上部開口部側の部分を便座に巻き込み、他の部分が便器の内部に垂下するように、汚物回収袋を便器に装着する。そして、利用者が用を足すと、排尿、排便などの汚物が汚物回収袋内に受け入れられる。その後、汚物回収袋を便器から取り外し、汚物回収袋の上部開口部側の部分を結んで上部開口部を閉じる。このようにして汚物を収容した汚物回収袋を、汚物保管袋内に収容し、一時的に保管する。この汚物保管袋は、チャックにて開閉可能な入口を有し、汚物を収容した汚物回収袋を前記入口から入れた後に、前記入口を閉じることで、内部の水分や臭気を外部へ漏らさないようになっている。
【先行技術文献】
【特許文献】
【０００４】
【特許文献１】登録実用新案第３０６２１８６号公報
【発明の概要】
【発明が解決しようとする課題】
【０００５】
しかしながら、前記従来の汚物回収袋及び前記従来の汚物回収袋では、汚物を収容した汚物回収袋が既に汚物保管袋の内部に収容されている状態において、利用者が汚物保管袋の入口を開くと、利用者は強い臭気を嗅いでしまう。このような事態は、例えば、汚物を収容した汚物回収袋が既に汚物保管袋の内部に収容されている場合において、当該汚物保管袋内に、汚物を収容した別の汚物回収袋を更に収容しようとする場合に、起きる。
【０００６】
本発明は、このような事情に鑑みてなされたもので、汚物を収容した汚物回収袋が既に汚物保管袋の内部に収容されている状態において、利用者が汚物保管袋の入口を開いた場合に利用者が嗅いでしまう臭気を低減することができる汚物回収袋、汚物保管袋、及び、これらを備えた汚物回収・保管セットを提供することを目的とする。
【課題を解決するための手段】
【０００７】
前記課題を解決するための手段として、以下の各態様を提示する。第１の態様による汚物回収袋は、上部開口部を有し、前記上部開口部側から汚物を受け入れる汚物回収袋であって、防水層を有するシートで構成された袋本体を備え、前記シートは、前記シートの少なくとも一部の領域において形成された吸着層であって多孔性物質を含む吸着層を有し、前記吸着層は、前記少なくとも一部の領域において前記汚物回収袋の外部の空間に連通するように形成されたものである。
【０００８】
前記汚物回収袋内には、前記特許文献１に開示された吸水シートやその他の吸水手段を設けてもよいし、必ずしも給水手段を設けなくてもよい。
【０００９】
この第１の態様による汚物回収袋では、袋本体を構成するシートの少なくとも一部の領域において多孔性物質を含む吸着層が形成され、前記吸着層は、前記少なくとも一部の領域において前記汚物回収袋の外部の空間に連通するように形成されている。したがって、汚物を収容した前記第１の態様による汚物回収袋が汚物保管袋の内部に収容されている場合、汚物保管袋の内部の臭気成分が、前記第１の態様による汚物回収袋の前記吸着層に吸着される。このため、前記第１の態様によれば、汚物を収容した前記第１の態様による汚物回収袋が既に汚物保管袋の内部に収容されている状態において、利用者が汚物保管袋の入口を開いた場合に利用者が嗅いでしまう臭気を低減することができる。
【００１０】
第２の態様による汚物回収袋は、前記第１の態様において、前記シートにおける前記汚物回収袋の上部開口部側の部分に相当する領域には、前記吸着層が形成されず、前記シートにおける残りの領域には、前記吸着層が形成されたものである。
【００１１】
汚物回収袋内に汚物を収容した状態において、当該汚物回収袋の上部開口部側の部分は結ばれたり紐で縛られたりするため、汚物回収袋の上部開口部側の部分に前記吸着層を形成しても、その部分に形成された吸着層は当該汚物回収袋を収容した汚物保管袋の内部の臭気をさほど吸着し得ない。一方、汚物回収袋の上部開口部側の部分に吸着層を形成すると、吸着層の材料の使用量が増大し、その分のコストアップを免れない。また、汚物回収袋の上部開口部側の部分にも吸着層が形成されていると、当該部分に吸着層が形成されていない場合に比べて、当該部分がごわごわしてしまう。したがって、汚物回収袋の上部開口部側の部分を外側に折り返して便座に巻き付けたり、汚物の収容後に汚物回収袋の上部開口部側の部分を結んだり紐で縛ったりする際に、それらの操作がやりづらくなってしまう。
【００１２】
これに対し、前記第２の態様による汚物回収袋では、前記シートにおける前記汚物回収袋の上部開口部側の部分に相当する領域には、前記吸着層が形成されず、前記シートにおける残りの領域には、前記吸着層が形成されている。したがって、前記第２の態様によれば、汚物を収容した前記第２の態様による汚物回収袋が既に汚物保管袋の内部に収容されている状態において利用者が汚物保管袋の入口を開いた場合に利用者が嗅いでしまう臭気を低減する効果をほとんど損なうことなく、吸着層の材料の使用量を低減させてコストダウンを図ることができ、しかも、汚物回収袋の上部開口部側の部分を外側に折り返して便座に巻き付けたり汚物の収容後に汚物回収袋の上部開口部側の部分を結んだり紐で縛ったりする操作を、容易に行うことができる。
【００１３】
第３の態様による汚物保管袋は、汚物が収容された汚物回収袋を入れるための開閉可能な入口を有し、汚物が収容された前記汚物回収袋を内部に収容する汚物保管袋であって、防水層を有するシートで構成された袋本体を備え、前記シートは、前記シートの少なくとも一部の領域において形成された吸着層であって多孔性物質を含む吸着層を有し、前記吸着層は、前記少なくとも一部の領域において前記汚物保管袋の内部の空間に連通するように形成されたものである。
【００１４】
この第３の態様による汚物保管袋では、袋本体を構成するシートの少なくとも一部の領域において多孔性物質を含む吸着層が形成され、前記吸着層は、前記少なくとも一部の領域において前記汚物保管袋の内部の空間に連通するように形成されている。したがって、汚物を収容した汚物回収袋が前記第３の態様による汚物保管袋の内部に収容されている場合、汚物保管袋の内部の臭気成分が、前記第３の態様による汚物保管袋の前記吸着層に吸着される。このため、前記第３の態様によれば、汚物を収容した汚物回収袋が既に前記第３の態様による汚物保管袋の内部に収容されている状態において、利用者が汚物保管袋の入口を開いた場合に利用者が嗅いでしまう臭気を低減することができる。
【００１５】
第４の態様による汚物保管袋は、前記第３の態様において、前記袋本体内の圧力が所定圧力以上となったときに、前記袋本体内の空間を外部に連通させる安全弁部を、備えたものである。
【００１６】
この第４の態様によれば、前記安全弁部を備えているので、汚物を収容した汚物回収袋が前記第４の態様による汚物保管袋の内部に収容されて、当該汚物保管袋の入口が閉じられた状態で、汚物保管袋に外力が加わっても、汚物保管袋がその内部圧力の上昇により破裂してしまうような事態が、防止される。
【００１７】
第５の態様による汚物回収・保管セットは、前記第１又は第２の態様による汚物回収袋と、前記第３又は第４の態様による汚物保管袋と、を備えたものである。
【００１８】
この第５の態様によれば、汚物回収袋及び汚物保管袋が、両方とも前述した吸着層による臭気低減効果を有しているので、汚物を収容した汚物回収袋が既に汚物保管袋の内部に収容されている状態において、利用者が汚物保管袋の入口を開いた場合に利用者が嗅いでしまう臭気を、より一層低減することができる。
【００１９】
もっとも、前記第１又は第２の態様による汚物回収袋は、必ずしも、前記第３又は第４の態様による汚物保管袋と共に使用する必要はなく、吸着層が形成されていない汚物保管袋と共に使用してもよい。また、前記第３又は第４の態様による汚物保管袋は、必ずしも、前記第１又は第２の態様による汚物回収袋と共に使用する必要はなく、吸着層が形成されていない汚物回収袋と共に使用してもよい。
【発明の効果】
【００２０】
本発明によれば、汚物を収容した汚物回収袋が既に汚物保管袋の内部に収容されている状態において、利用者が汚物保管袋の入口を開いた場合に利用者が嗅いでしまう臭気を低減することができる、汚物回収袋、汚物保管袋、及び、これらを備えた汚物回収・保管セットを提供することができる。
【図面の簡単な説明】
【００２１】
【図１】本発明の一実施の形態による汚物回収・保管セットを構成する汚物回収袋を模式的に示す表側上方から見た概略斜視図である。
【図２】図１中のＸ１−Ｘ２線に沿った概略断面図である。
【図３】図１中のＸ３−Ｘ４線に沿った概略断面図である。
【図４】図１中のＹ１−Ｙ２線沿った概略断面図である。
【図５】図１に示す汚物回収袋を便器に装着した状態を示す概略斜視図である。
【図６】図１に示す汚物回収袋を便器に装着した他の状態を示す概略斜視図である。
【図７】本発明の一実施の形態による汚物回収・保管セットを構成する汚物保管袋を模式的に示す表側上方から見た概略斜視図である。
【図８】図７中のＸ５−Ｘ６線に沿った概略断面図である。
【図９】図７中のＸ７−Ｘ８線に沿った概略断面図である。
【図１０】図７中のＹ３−Ｙ４線に沿った概略断面図である。
【図１１】図１に示す汚物回収袋を図７に示す汚物保管袋内に収納する様子を模式的に示す概略斜視図である。
【発明を実施するための形態】
【００２２】
以下、本発明による汚物回収袋、汚物保管袋、及び汚物回収・保管セットについて、図面を参照して説明する。
【００２３】
［第１の実施の形態］
図１は、本発明の一実施の形態による汚物回収・保管セットを構成する汚物回収袋１を模式的に示す表側上方から見た概略斜視図である。図２は、図１中のＸ１−Ｘ２線に沿った概略断面図である。図３は、図１中のＸ３−Ｘ４線に沿った概略断面図である。図４は、図１中のＹ１−Ｙ２線沿った概略断面図である。
【００２４】
本実施の形態による汚物回収袋１は、上部開口部１ａを有し、上部開口部１ａから汚物を受け入れるものである。本実施の形態では、汚物回収袋１は、防水層１２及び吸着層１３を有する筒状のシートで構成された袋本体１１からなる。防水層１２は、前記筒状のシートの全体に渡って形成されている。本実施の形態では、防水層１２としてポリエチレンフィルムが用いられ、このポリエチレンフィルムがインフレーション法により成形されることで筒状をなしている。袋本体１１（すなわち、本実施の形態では、筒状のシート）の図１中の左辺及び右辺は、筒状のシートの折り曲げ線に相当している。袋本体１１の図１中の上辺は、上部開口部１ａとなっている。袋本体１１の図１中の下辺に沿った部分１４は、ヒートシール部分となっており、この部分１４で対面する防水層１２（本実施の形態では、ポリエチレンフィルム）同士がヒートシールされている。なお、防水層１２は、ポリエチレンフィルムに限らず、他の任意の防水機能を有する層を用いることができる。
【００２５】
本実施の形態では、吸着層１３は、前記筒状のシートにおける汚物回収袋１の上部開口部１ａ側の部分に相当する領域には形成されず、前記筒状のシートの残りの領域に形成されている。吸着層１３は、吸着層１３が形成されている領域において汚物回収袋１の外側の空間に連通するように形成されている。本実施の形態では、吸着層１３は、防水層１２の外側面に形成されることによって、汚物回収袋１の外側の空間に連通するようになっている。もっとも、本発明では、これに限らず、吸着層１３の外側面を、通気性を有する層や多孔性の層で覆ってもよい。
【００２６】
吸着層１３は、多孔性物質を有し、臭気成分などの気体中の微粒子を吸着可能な層である。前記多孔性物質は、例えば、活性炭、ゼオライト、シラスバルーン、ベントナイト、珪藻土、シリカゲル及びセラミクスのうちから選ばれた１種以上からなる。吸着層１３は、例えば、多孔性物質を含む公知の吸着性塗料を塗布した層であってもよい。この場合、塗布ローラーやエアナイフコーター等の塗工機を用いて吸着性塗料を塗布してもよい。また、吸着層１３は、例えば、多孔性物質を含むインクを印刷した層であってもよい。この印刷に用いるインクとしては、特に限定されるものではなく、多孔性物質を含む公知の吸着性塗料をそのまま用いてもよいし、転写特性等の印刷適正をより高めるべく、粘度やバインダーの種類や添加剤等を適宜変更してもよい。吸着層１３を印刷により形成する場合、印刷に用いる版は、凸版、凹版、平版、孔版などいずれの版を用いてもよいが、比較的厚さの厚い印刷が容易である凹版を用いることが好ましい。印刷により吸着層１３を形成する場合、複数回印刷を重ねることで、吸着層１３を厚くしてもよい。これらの点は、後述する吸着層５２についても、吸着層１３と同様である。
【００２７】
なお、本実施の形態では、汚物回収袋１は、前述したように、筒状のシートを用いて構成されているが、１枚のシートを２つ折りしたいわゆるＬ型シール袋や、２枚のシートを重ね合わせた３方シール袋などとして構成してもよい。
【００２８】
本実施の形態では、汚物回収袋１内に吸水手段は設けられていない。もっとも、本発明では、汚物回収袋１内に、前記特許文献１に開示された吸水シート（吸水ポリマー等の凝固紙の上下を不織布で被覆してなる吸水シート）や、その他の吸水手段を設けてもよい。
【００２９】
本実施の形態では、汚物回収袋１は、図５又は図６に示すように、既設トイレの便器２１に装着するのに適した大きさを有している。もっとも、本発明では、汚物回収袋１は、例えば、介護用の可搬式の便器や、旅行、非常用として携帯可能にした携帯式の便器にも適用できる。本発明では、汚物回収袋１は、便器に装着して使用しなくてもよいし、回収する汚物も排便や排尿に限らない。
【００３０】
図５は、図１に示す汚物回収袋１を便器２１に装着した状態を示す概略斜視図である。図５に示す例では、汚物回収袋１の上部開口部１ａが広げられて汚物回収袋１の上部開口部１ａ側の部分が便座２２に巻き込まれ、他の部分が便器２１の内部に垂下するように、汚物回収袋１が便器２１に装着されている。
【００３１】
図６は、図１に示す汚物回収袋１を便器２１に装着した他の状態を示す概略斜視図である。図６に示す例では、汚物回収袋１の上部開口部１ａが広げられて、汚物回収袋１の上部開口部１ａ側の部分が、便器２１の開口上縁２１ａに嵌合されて便座２２で抑えられ、他の部分が便器２１の内部に垂下するように、汚物回収袋１が便器２１に装着されている。
【００３２】
図７は、図１に示す汚物回収袋１と共に本発明の一実施の形態による汚物回収・保管セットを構成する汚物保管袋３１を、模式的に示す表側上方から見た概略斜視図である。図８は、図７中のＸ５−Ｘ６線に沿った概略断面図である。図９は、図７中のＸ７−Ｘ８線に沿った概略断面図である。図１０は、図７中のＹ３−Ｙ４線に沿った概略断面図である。
【００３３】
本実施の形態による汚物保管袋３１は、汚物が収容された汚物回収袋１を入れるための開閉可能な入口３１ａを有し、汚物が収容された汚物回収袋１を内部に収容するものである。本実施の形態では、汚物保管袋３１は、防水層５３を有する２枚のシート４１Ａ，４１Ｂでいわゆる３方シール袋として構成された袋本体４１と、袋本体４１内の圧力が所定圧力以上となったときに、袋本体４１内の空間を外部に連通させる安全弁部４２と、を備えている。
【００３４】
シート４１Ａは、ベースシートとしてのクラフト紙等の紙５１と、紙５１の一方の面の全面（必ずしも全面でなくてもよい。）に形成された吸着層５２と、吸着層５２の紙５１とは反対側の面の全面に形成された防水層５３とから構成されている。本実施の形態では、防水層５３としてポリエチレンフィルムが用いられ、この防水層５３が通気性を有している。なお、防水層５３はポリエチレンフィルムに限らない。シート４１Ｂは、シート４１Ａと同じ構成を有している。
【００３５】
シート４１Ａとシート４１Ｂとが、互いに防水層５３（本実施の形態では、ポリエチレンフィルム）が対面するように重ね合わされ、左辺に沿った部分６１、右辺に沿った部分６２及び下辺に沿った部分６３がヒートシールされ、上辺に沿った部分はヒートシールされずに上辺が開口されて入口３１ａとなり、いわゆる３方シール袋となっている。本実施の形態では、吸着層５２は、通気性を有する防水層５３を介して、汚物保管袋３１の内部の空間に連通するようになっている。もっとも、例えば、紙５１に代えてポリエステルフィルム等の防水層を用い、防水層５３を取り除いて、吸着層５２が汚物保管袋３１の内部の空間に露出させることによって、吸着層５２が汚物保管袋３１の内部の空間に連通するようにしてもよい。また、例えば、紙５１に代えてポリエステルフィルム等の防水層を用い、防水層５３に代えて多孔性の層を用いてもよい。なお、袋本体４１は、３方シール袋に限らず、Ｌ型シール袋や、舟底をなすスタンディング袋（自立袋）として構成してもよい。本実施の形態では、なお、吸着層５２は、本実施の形態のように袋本体４１の全体に渡って形成することが好ましいが、袋本体４１の一部の領域にのみ形成してもよい。
【００３６】
本実施の形態では、袋本体４１の上部の入口３１ａの付近には、公知の凹凸嵌合タイプのチャック６４が設けられ、このチャック６４によって入口３１ａが開閉となっている。もっとも、本発明では、入口３１ａの開閉構造は、チャック６４に限らない。また、袋本体４１の上部には、指掛け用の孔６５が形成され、汚物保管袋３１の持ち運びが容易になっている。
【００３７】
本実施の形態では、安全弁部４２は、ポリエチレンフィルム等のヒートシール性層７１上に層７２を形成してなるシート片で構成されている。層７２は、ヒートシール性層７１と防水層５３とがヒートシールされる際に層７２にも加わる温度によっては、層７２同士がヒートシールされないような材料からなる。例えば、ヒートシール性層７１がポリエチレンフィルムである場合には、層７２として、ポリエチレンフィルムよりも融点の高いポリエステルフィルム等を用いることができる。このシート片が、層７２を内側にして２つ折りされ、袋本体４１の左辺に沿った部分６２の一部付近において、シート４１Ａ，４１Ｂ間に挿入され、シート４１Ａ，４１Ｂの非ヒートシール部分から外部にかけて延在するように配置され、図７及び図９に示す箇所８２において、シート４１Ａの防水層５３（ポリエチレンフィルム）と前記２つ折りシート片の一方側のヒートシール性層７１との間、及び、シート４１Ｂの防水層５３（ポリエチレンフィルム）と前記２つ折りシート片の他方側のヒートシール性層７１との間が、それぞれヒートシールされている。前記２つ折りシート片の対面する層７２間は、ヒートシールされずに、製造時に圧接されたことにより、弱接着されている。必要に応じて、前記２つ折りシート片の対面する層７２間を、接着剤により弱接着してもよい。
【００３８】
この安全弁部４２によれば、袋本体４１内の圧力が所定圧力以上となったときに、前記２つ折りシート片の対面する層７２間の弱接着が剥がれることで、その間を介して、袋本体４１内の空間が外部に連通することになる。なお、安全弁部４２の構造は、前述した構造に限定されるものではない。
【００３９】
本実施の形態では、汚物保管袋３１は、汚物を収容した汚物回収袋１を複数収容し得る大きさを有している。
【００４０】
図１１は、図１に示す汚物回収袋１を図７に示す汚物保管袋３１内に収納する様子を模式的に示す概略斜視図である。
【００４１】
本実施の形態による汚物保管・収容セット（汚物回収袋１及び汚物保管袋３１）を使用する場合、例えば、汚物回収袋１を前述したようにして図５又は図６に示すように、便器２１に装着する。そして、利用者が用を足すと、排尿、排便などの汚物が汚物回収袋１内に受け入れられる。その後、汚物回収袋１を便器２１から取り外し、図１１に示すように汚物回収袋１の上部開口部１ａ側の部分を結んで（結ぶ代わりに紐で縛ってもよい。）上部開口部１ａを閉じる。このようにして汚物を収容した汚物回収袋１を、図１１に示すように、チャック６４によって入口３１ａを開いた汚物保管袋３１内に入れた後に、チャック６４によって入口３１ａを閉じ、汚物を収容した汚物回収袋１を一時的に保管する。チャック６４によって入口３１ａを閉じることで、内部の水分や臭気が汚物保管袋３１の外部へ漏れない。
【００４２】
本実施の形態による汚物回収袋１では、袋本体１１を構成するシートの少なくとも一部の領域において多孔性物質を含む吸着層１３が形成され、吸着層１３は、前記少なくとも一部の領域において汚物回収袋１の外部の空間に連通するように形成されている。したがって、汚物を収容した汚物回収袋１が汚物保管袋３１の内部に収容されている場合、汚物保管袋３１の内部の臭気成分が、汚物回収袋１の吸着層１３に吸着される。このため、本実施の形態によれば、汚物を収容した汚物回収袋１が既に汚物保管袋３１の内部に収容されている状態において、利用者が汚物保管袋３１の入口３１ａを開いた場合に利用者が嗅いでしまう臭気を低減することができる。
【００４３】
汚物回収袋１内に汚物を収容した状態において、当該汚物回収袋１の上部開口部１ａ側の部分は結ばれたり紐で縛られたりするため、汚物回収袋１の上部開口部１ａ側の部分に吸着層１３を形成しても、その部分に形成された吸着層１３は当該汚物回収袋１を収容した汚物保管袋３１の内部の臭気をさほど吸着し得ない。一方、汚物回収袋１の上部開口部１ａ側の部分に吸着層１３を形成すると、吸着層１３の材料の使用量が増大し、その分のコストアップを免れない。また、汚物回収袋１の上部開口部１ａ側の部分にも吸着層１３が形成されていると、当該部分に吸着層１３が形成されていない場合に比べて、当該部分がごわごわしてしまう。したがって、図５に示すように汚物回収袋１の上部開口部１ａ側の部分を外側に折り返して便座２２に巻き付けたり、図６に示すように汚物回収袋１の上部開口部１ａ側の部分を外側に折り返して便器２１の開口上縁２１ａに嵌合させたり、図１１に示すように汚物の収容後に汚物回収袋１の上部開口部１ａ側の部分を結んだり紐で縛ったりする際に、それらの操作がやりづらくなってしまう。
【００４４】
これに対し、本実施の形態による汚物回収袋１では、吸着層１３は、前記筒状のシートにおける汚物回収袋１の上部開口部１ａ側の部分に相当する領域には形成されず、前記筒状のシートの残りの領域に形成されている。したがって、本実施の形態によれば、汚物を収容した汚物回収袋１が既に汚物保管袋３１の内部に収容されている状態において利用者が汚物保管袋３１の入口３１ａを開いた場合に利用者が嗅いでしまう臭気を低減する効果をほとんど損なうことなく、吸着層１３の材料の使用量を低減させてコストダウンを図ることができ、しかも、汚物回収袋１の上部開口部１ａ側の部分を外側に折り返して便座２２に巻き付けたり、汚物回収袋１の上部開口部１ａ側の部分を外側に折り返して便器２１の開口上縁２１ａに嵌合させたり、汚物の収容後に汚物回収袋１の上部開口部１ａ側の部分を結んだり紐で縛ったりする操作を、容易に行うことができる。もっとも、本発明では、吸着層１３は、前記筒状のシートにおける汚物回収袋１の上部開口部１ａ側の部分に相当する領域にも形成し、前記筒状のシートの全体に渡って形成してもよい。
【００４５】
なお、吸着層１３が多孔性物質として炭を含む場合には、吸着層１３は黒色となる。このため、汚物回収袋１内に汚物を収容すると、汚物が見えなくなるので好ましい。
【００４６】
また、本実施の形態による汚物保管袋３１では、袋本体４１を構成するシート４１Ａ，４１Ｂの少なくとも一部の領域において多孔性物質を含む吸着層５２が形成され、吸着層５２は、前記少なくとも一部の領域において汚物保管袋３１の内部の空間に連通するように形成されている。したがって、汚物を収容した汚物回収袋１が汚物保管袋３１の内部に収容されている場合、汚物保管袋３１の内部の臭気成分が、汚物保管袋３１の吸着層５２に吸着される。このため、本実施の形態によれば、この点からも、汚物を収容した汚物回収袋１が既に汚物保管袋３１の内部に収容されている状態において、利用者が汚物保管袋３１の入口３１ａを開いた場合に利用者が嗅いでしまう臭気を低減することができる。
【００４７】
さらに、本実施の形態によれば、汚物保管袋３１は安全弁部４２を備えているので、汚物を収容した汚物回収袋１が汚物保管袋３１の内部に収容されて、当該汚物保管袋３１の入口３１ａが閉じられた状態で、汚物保管袋３１に外力が加わっても、汚物保管袋３１がその内部圧力の上昇により破裂してしまうような事態が、防止される。もっとも、本発明では、汚物保管袋３１は、必ずしも安全弁部４２を有していなくてもよい。
【００４８】
以上、本発明の各実施の形態について説明したが、本発明はこれらの実施の形態に限定されるものではない。
【００４９】
例えば、本発明では、前記汚物回収袋１と前記汚物保管袋３１とを一緒に用いなくてもよい。例えば、前記汚物回収袋１と一緒に、前記汚物保管袋３１において吸着層５２を除去した汚物保管袋を用いてもよい。また、前記汚物保管袋３１と一緒に、前記汚物回収袋１において吸着層１３を除去した汚物回収袋を用いてもよい。
【符号の説明】
【００５０】
１  汚物回収袋
１ａ  上部開口部
１１  袋本体
１２  防水層
１３  吸着層
３１  汚物保管袋
３１ａ  入口
４１  袋本体
４１Ａ，４１Ｂ  シート
４２  安全弁部
５２  吸着層
５３  防水層
【図１】
2014200596.tif 000003
【図２】
2014200596.tif 000004
【図３】
2014200596.tif 000005
【図４】
2014200596.tif 000006
【図５】
2014200596.tif 000007
【図６】
2014200596.tif 000008
【図７】
2014200596.tif 000009
【図８】
2014200596.tif 000010
【図９】
2014200596.tif 000011
【図１０】
2014200596.tif 000012
【図１１】
2014200596.tif 000013